(57)【要約】【課題】特定の圃場に関する知識を有する者の勘と経験を要さずとも稲の不耕起直播栽培の適否を容易に判断することを可能にする不耕起直播栽培適否判断システム等を提供する。【解決手段】圃場プロファイル表２２（依頼圃場ごとに作成されるデータベース）は、依頼圃場Ｘにおける稲の不耕起直播栽培の技術的可能性に関する診断項目及び依頼圃場Ｘにおける稲の不耕起直播栽培の収益性に関する診断項目を有する。圃場プロファイル表２２には、各診断項目ごとにＡないしＥの５段階の診断基準が記述されており、項目別診断結果記入欄に依頼圃場Ｘの項目別診断結果が入力される。技術的可能性適否判断部１０６及び収益性適否判断部１０８が、それぞれ、圃場プロファイル表２２の項目別診断結果記入欄を参照して、依頼圃場Ｘにおける稲の不耕起直播栽培の技術的可能性、収益性に関する判断をする。【選択図】　図１
2004024176.tif 000002
【特許請求の範囲】
【請求項１】
稲の不耕起直播栽培の適否を判断する不耕起直播栽培適否判断システムであって、
特定の圃場における稲の不耕起直播栽培に関するデータが記述されるデータベースを格納した格納手段と、
前記の稲の不耕起直播栽培に関するデータに含まれる稲の不耕起直播栽培の技術的可能性に関するデータに基づいて、技術的可能性の点から前記圃場における稲の不耕起直播栽培の適否を判断する技術的可能性適否判断手段と
を備えたことを特徴とする不耕起直播栽培適否判断システム。
【請求項２】
前記の稲の不耕起直播栽培に関するデータに含まれる稲の不耕起直播栽培の収益性に関するデータに基づいて、収益性の点から前記圃場における稲の不耕起直播栽培の適否を判断する収益性適否判断手段を備えたことを特徴とする請求項１記載の不耕起直播栽培適否判断システム。
【請求項３】
前記の稲の不耕起直播栽培に関するデータが、前記圃場における播種時期の一定量の降雨後の田面滞水期間に関するデータを含むことを特徴とする請求項１又は２に記載の不耕起直播栽培適否判断システム。
【請求項４】
前記の稲の不耕起直播栽培に関するデータが、前記圃場の田面と排水路との高低差に関するデータを含むことを特徴とする請求項１ないし３のいずれか１項に記載の不耕起直播栽培適否判断システム。
【請求項５】
前記の稲の不耕起直播栽培に関するデータが、前記圃場における一定量の降雨時の排水路からの逆流可能性に関するデータを含むことを特徴とする請求項１ないし４のいずれか１項に記載の不耕起直播栽培適否判断システム。
【請求項６】
前記の稲の不耕起直播栽培に関するデータが、前記圃場において田植えから一定期間経過後に一定量を潅水した場合の潅水期間に関するデータを含むことを特徴とする請求項１ないし５のいずれか１項に記載の不耕起直播栽培適否判断システム。
【請求項７】
前記の稲の不耕起直播栽培に関するデータが、前作の収穫後における前記圃場の凹凸状態に関するデータを含むことを特徴とする請求項１ないし６のいずれか１項に記載の不耕起直播栽培適否判断システム。
【請求項８】
稲の不耕起直播栽培の適否を判断する不耕起直播栽培適否判断方法であって、
格納手段に格納されたデータベースに記述される特定の圃場における稲の不耕起直播栽培に関するデータに含まれる稲の不耕起直播栽培の技術的可能性に関するデータに基づいて、技術的可能性の点から前記圃場における稲の不耕起直播栽培の適否を判断する技術的可能性適否判断ステップを含むことを特徴とする不耕起直播栽培適否判断方法。
【請求項９】
前記の稲の不耕起直播栽培に関するデータに含まれる稲の不耕起直播栽培の収益性に関するデータに基づいて、収益性の点から前記圃場における稲の不耕起直播栽培の適否を判断する収益性適否判断ステップを含むことを特徴とする請求項８記載の不耕起直播栽培適否判断方法。
【請求項１０】
前記の稲の不耕起直播栽培に関するデータが、前記圃場における播種時期の一定量の降雨後の田面滞水期間に関するデータを含むことを特徴とする請求項８又は９に記載の不耕起直播栽培適否判断方法。
【請求項１１】
前記の稲の不耕起直播栽培に関するデータが、前記圃場の田面と排水路との高低差に関するデータを含むことを特徴とする請求項８ないし１０のいずれか１項に記載の不耕起直播栽培適否判断方法。
【請求項１２】
前記の稲の不耕起直播栽培に関するデータが、前記圃場における一定量の降雨時の排水路からの逆流可能性に関するデータを含むことを特徴とする請求項８ないし１１のいずれか１項に記載の不耕起直播栽培適否判断方法。
【請求項１３】
前記の稲の不耕起直播栽培に関するデータが、前記圃場において田植えから一定期間経過後に一定量を潅水した場合の潅水期間に関するデータを含むことを特徴とする請求項８ないし１２のいずれか１項に記載の不耕起直播栽培適否判断方法。
【請求項１４】
前記の稲の不耕起直播栽培に関するデータが、前作の収穫後における前記圃場の凹凸状態に関するデータを含むことを特徴とする請求項８ないし１３のいずれか１項に記載の不耕起直播栽培適否判断方法。
【請求項１５】
稲の不耕起直播栽培の適否を判断する不耕起直播栽培適否判断プログラムであって、
コンピュータを、格納手段に格納されたデータベースに記述される特定の圃場における稲の不耕起直播栽培に関するデータに含まれる稲の不耕起直播栽培の技術的可能性に関するデータに基づいて、技術的可能性の点から前記圃場における稲の不耕起直播栽培の適否を判断する技術的可能性適否判断手段として機能させることを特徴とする不耕起直播栽培適否判断プログラム。
【請求項１６】
コンピュータを、前記の稲の不耕起直播栽培に関するデータに含まれる稲の不耕起直播栽培の収益性に関するデータに基づいて、収益性の点から前記圃場における稲の不耕起直播栽培の適否を判断する収益性適否判断手段として更に機能させることを特徴とする請求項１５記載の不耕起直播栽培適否判断プログラム。
【請求項１７】
前記の稲の不耕起直播栽培に関するデータが、前記圃場における播種時期の一定量の降雨後の田面滞水期間に関するデータを含むことを特徴とする請求項１５又は１６に記載の不耕起直播栽培適否判断プログラム。
【請求項１８】
前記の稲の不耕起直播栽培に関するデータが、前記圃場の田面と排水路との高低差に関するデータを含むことを特徴とする請求項１５ないし１７のいずれか１項に記載の不耕起直播栽培適否判断プログラム。
【請求項１９】
前記の稲の不耕起直播栽培に関するデータが、前記圃場における一定量の降雨時の排水路からの逆流可能性に関するデータを含むことを特徴とする請求項１５ないし１８のいずれか１項に記載の不耕起直播栽培適否判断プログラム。
【請求項２０】
前記の稲の不耕起直播栽培に関するデータが、前記圃場において田植えから一定期間経過後に一定量を潅水した場合の潅水期間に関するデータを含むことを特徴とする請求項１５ないし１９のいずれか１項に記載の不耕起直播栽培適否判断プログラム。
【請求項２１】
前記の稲の不耕起直播栽培に関するデータが、前作の収穫後における前記圃場の凹凸状態に関するデータを含むことを特徴とする請求項１５ないし２０のいずれか１項に記載の不耕起直播栽培適否判断プログラム。
【請求項２２】
請求項１５ないし２０のいずれか１項に記載の不耕起直播栽培適否判断プログラムを記録したコンピュータ読み取り可能な記録媒体。
【発明の詳細な説明】
【０００１】
【発明の属する技術分野】
本発明は、不耕起直播栽培適否判断システム、不耕起直播栽培適否判断方法、不耕起直播栽培適否判断プログラム及び不耕起直播栽培適否判断プログラムを記録したコンピュータ読み取り可能な記録媒体（以下、単に「記録媒体」という。）に関するものである。
【０００２】
【従来の技術】
近年、稲作の国際競争力を高めるために稲作農業の合理化・大規模化が要請されている。稲作農業を合理化する手段として、不耕起直播栽培（Ｃｏｎｓｅｒｖａｔｉｏｎ　Ｔｉｌｌａｇｅ）技術が注目を集めている。すなわち、不耕起直播栽培によれば耕農作業及び苗の移植作業が不要になる上、農作業全体を機械化することができるので、不耕起直播栽培は稲作農業の合理化に適している。かかる不耕起直播栽培を成功させるためには対象となる圃場が不耕起直播栽培に適するか否かの判断が重要になるが、従来、対象となる圃場に関する知識を有する者が自らの勘と経験に基づいて当該圃場の不耕起直播栽培の適否を判断していた。
【０００３】
【発明が解決しようとする課題】
しかしながら、従来の適否判断方法では、特定の圃場に関する知識を有する者の勘と経験を要するので、機械的に稲の不耕起直播栽培の適否を判断することができず、大規模経営に適さないという問題点があった。また、従来の適否判断方法は、特定の圃場に関する知識を有する者の勘と経験に頼ったものであり、必ずしも的確な判断ができない場合があるという問題点があった。
【０００４】
本発明は、上記問題を解決するためになされたものであり、特定の圃場に関する知識を有する者の勘と経験を要さずとも稲の不耕起直播栽培の適否を容易に判断することを可能にする不耕起直播栽培適否判断システム、不耕起直播栽培適否判断方法、不耕起直播栽培適否判断プログラム及び不耕起直播栽培適否判断プログラムを記録した記録媒体を提供することを目的とする。
【０００５】
【課題を解決するための手段】
上記目的を達成するために、本発明の不耕起直播栽培適否判断システムは、稲の不耕起直播栽培の適否を判断する不耕起直播栽培適否判断システムであって、特定の圃場における稲の不耕起直播栽培に関するデータが記述されるデータベースを格納した格納手段と、の稲の不耕起直播栽培に関するデータに含まれる稲の不耕起直播栽培の技術的可能性に関するデータに基づいて、技術的可能性の点から圃場における稲の不耕起直播栽培の適否を判断する技術的可能性適否判断手段とを備えたことを特徴とする。
【０００６】
格納手段に格納されたデータベースに特定の圃場における稲の不耕起直播栽培に関するデータが記述されると、技術的可能性適否判断手段が、当該稲の不耕起直播栽培に関するデータに含まれる稲の不耕起直播栽培の技術的可能性に関するデータに基づいて、技術的可能性の点から当該圃場における稲の不耕起直播栽培の適否を判断するので、当該圃場に関する知識を有する者の勘と経験を要さずとも稲の不耕起直播栽培の適否を容易に判断することが可能になる。
【０００７】
本発明の不耕起直播栽培適否判断システムは、稲の不耕起直播栽培に関するデータに含まれる稲の不耕起直播栽培の収益性に関するデータに基づいて、収益性の点から圃場における稲の不耕起直播栽培の適否を判断する収益性適否判断手段を備えたことが好適である。
【０００８】
収益性適否判断手段が、当該稲の不耕起直播栽培に関するデータに含まれる稲の不耕起直播栽培の収益性に関するデータに基づいて、収益性の点から当該圃場における稲の不耕起直播栽培の適否を判断するので、特に収益性の点から稲の不耕起直播栽培の適否を判断することが可能になる。
【０００９】
本発明の不耕起直播栽培適否判断システムは、稲の不耕起直播栽培に関するデータが、圃場における播種時期の一定量の降雨後の田面滞水期間に関するデータを含むことが好適である。
【００１０】
播種時期の降雨後の田面滞水期間が長いと圃場における水量の制御が困難であるため稲の不耕起直播栽培に不適であるが、稲の不耕起直播栽培に関するデータが、従来は適否判断における判断要素として用いられていなかった圃場における播種時期の一定量の降雨後の田面滞水期間に関するデータを含むことにより、更に適切に稲の不耕起直播栽培の適否を判断することができる。
【００１１】
本発明の不耕起直播栽培適否判断システムは、稲の不耕起直播栽培に関するデータが、圃場の田面と排水路との高低差に関するデータを含むことが好適である。
【００１２】
田面と排水路との高低差が小さいと圃場における水量の制御が困難であるため稲の不耕起直播栽培に不適であるが、稲の不耕起直播栽培に関するデータが、従来は適否判断における判断要素として用いられていなかった圃場の田面と排水路との高低差に関するデータを含むことにより、更に適切に稲の不耕起直播栽培の適否を判断することができる。
【００１３】
本発明の不耕起直播栽培適否判断システムは、稲の不耕起直播栽培に関するデータが、圃場における一定量の降雨時の排水路からの逆流可能性に関するデータを含むことが好適である。
【００１４】
降雨時の排水路からの逆流可能性が高いと圃場における水量の制御が困難であるため稲の不耕起直播栽培に不適であるが、稲の不耕起直播栽培に関するデータが、従来は適否判断における判断要素として用いられていなかった圃場における一定量の降雨時の排水路からの逆流可能性に関するデータを含むことにより、更に適切に稲の不耕起直播栽培の適否を判断することができる。
【００１５】
本発明の不耕起直播栽培適否判断システムは、稲の不耕起直播栽培に関するデータが、圃場において田植えから一定期間経過後に一定量を潅水した場合の潅水期間に関するデータを含むことが好適である。
【００１６】
田植え後に潅水した場合の潅水期間が短いと圃場に十分な水量を確保するのが困難であるため稲の不耕起直播栽培に不適であるが、稲の不耕起直播栽培に関するデータが、従来は適否判断における判断要素として用いられていなかった圃場において田植えから一定期間経過後に一定量を潅水した場合の潅水期間に関するデータを含むことにより、更に適切に稲の不耕起直播栽培の適否を判断することができる。
【００１７】
本発明の不耕起直播栽培適否判断システムは、稲の不耕起直播栽培に関するデータが、前作の収穫後における圃場の凹凸状態に関するデータを含むことが好適である。
【００１８】
前作の収穫後に凹凸があり、そのまま放置されると、圃場の全面を潅水させることが困難になるため稲の不耕起直播栽培に不適であるが、稲の不耕起直播栽培に関するデータが、従来は適否判断における判断要素として用いられていなかった前作の収穫後における圃場の凹凸状態に関するデータを含むことにより、更に適切に稲の不耕起直播栽培の適否を判断することができる。
【００１９】
上記目的を達成するために、本発明の不耕起直播栽培適否判断方法は、稲の不耕起直播栽培の適否を判断する不耕起直播栽培適否判断方法であって、格納手段に格納されたデータベースに記述される特定の圃場における稲の不耕起直播栽培に関するデータに含まれる稲の不耕起直播栽培の技術的可能性に関するデータに基づいて、技術的可能性の点から圃場における稲の不耕起直播栽培の適否を判断する技術的可能性適否判断ステップを含むことを特徴とする。
【００２０】
格納手段に格納されたデータベースに特定の圃場における稲の不耕起直播栽培に関するデータが記述されると、技術的可能性適否判断ステップにおいて、当該稲の不耕起直播栽培に関するデータに含まれる稲の不耕起直播栽培の技術的可能性に関するデータに基づいて、技術的可能性の点から当該圃場における稲の不耕起直播栽培の適否が判断されるので、当該圃場に関する知識を有する者の勘と経験を要さずとも稲の不耕起直播栽培の適否を容易に判断することが可能になる。
【００２１】
本発明の不耕起直播栽培適否判断方法は、稲の不耕起直播栽培に関するデータに含まれる稲の不耕起直播栽培の収益性に関するデータに基づいて、収益性の点から圃場における稲の不耕起直播栽培の適否を判断する収益性適否判断ステップを含むことが好適である。
【００２２】
収益性適否判断ステップにおいて、当該稲の不耕起直播栽培に関するデータに含まれる稲の不耕起直播栽培の収益性に関するデータに基づいて、収益性の点から当該圃場における稲の不耕起直播栽培の適否が判断されるので、特に収益性の点から稲の不耕起直播栽培の適否を判断することが可能になる。
【００２３】
本発明の不耕起直播栽培適否判断方法は、稲の不耕起直播栽培に関するデータが、圃場における播種時期の一定量の降雨後の田面滞水期間に関するデータを含むことが好適である。
【００２４】
播種時期の降雨後の田面滞水期間が長いと圃場における水量の制御が困難であるため稲の不耕起直播栽培に不適であるが、稲の不耕起直播栽培に関するデータが、従来は適否判断における判断要素として用いられていなかった圃場における播種時期の一定量の降雨後の田面滞水期間に関するデータを含むことにより、更に適切に稲の不耕起直播栽培の適否を判断することができる。
【００２５】
本発明の不耕起直播栽培適否判断方法は、稲の不耕起直播栽培に関するデータが、圃場の田面と排水路との高低差に関するデータを含むことが好適である。
【００２６】
田面と排水路との高低差が小さいと圃場における水量の制御が困難であるため稲の不耕起直播栽培に不適であるが、稲の不耕起直播栽培に関するデータが、従来は適否判断における判断要素として用いられていなかった圃場の田面と排水路との高低差に関するデータを含むことにより、更に適切に稲の不耕起直播栽培の適否を判断することができる。
【００２７】
本発明の不耕起直播栽培適否判断方法は、稲の不耕起直播栽培に関するデータが、圃場における一定量の降雨時の排水路からの逆流可能性に関するデータを含むことが好適である。
【００２８】
降雨時の排水路からの逆流可能性が高いと圃場における水量の制御が困難であるため稲の不耕起直播栽培に不適であるが、稲の不耕起直播栽培に関するデータが、従来は適否判断における判断要素として用いられていなかった圃場における一定量の降雨時の排水路からの逆流可能性に関するデータを含むことにより、更に適切に稲の不耕起直播栽培の適否を判断することができる。
【００２９】
本発明の不耕起直播栽培適否判断方法は、稲の不耕起直播栽培に関するデータが、圃場において田植えから一定期間経過後に一定量を潅水した場合の潅水期間に関するデータを含むことが好適である。
【００３０】
田植え後に潅水した場合の潅水期間が短いと圃場に十分な水量を確保するのが困難であるため稲の不耕起直播栽培に不適であるが、稲の不耕起直播栽培に関するデータが、従来は適否判断における判断要素として用いられていなかった圃場において田植えから一定期間経過後に一定量を潅水した場合の潅水期間に関するデータを含むことにより、更に適切に稲の不耕起直播栽培の適否を判断することができる。
【００３１】
本発明の不耕起直播栽培適否判断方法は、稲の不耕起直播栽培に関するデータが、前作の収穫後における圃場の凹凸状態に関するデータを含むことが好適である。
【００３２】
前作の収穫後に凹凸があり、そのまま放置されると、圃場の全面を潅水させることが困難になるため稲の不耕起直播栽培に不適であるが、稲の不耕起直播栽培に関するデータが、従来は適否判断における判断要素として用いられていなかった前作の収穫後における圃場の凹凸状態に関するデータを含むことにより、更に適切に稲の不耕起直播栽培の適否を判断することができる。
【００３３】
上記目的を達成するために、本発明の不耕起直播栽培適否判断プログラムは、稲の不耕起直播栽培の適否を判断する不耕起直播栽培適否判断プログラムであって、コンピュータを、格納手段に格納されたデータベースに記述される特定の圃場における稲の不耕起直播栽培に関するデータに含まれる稲の不耕起直播栽培の技術的可能性に関するデータに基づいて、技術的可能性の点から圃場における稲の不耕起直播栽培の適否を判断する技術的可能性適否判断手段として機能させることを特徴とする。
【００３４】
格納手段に格納されたデータベースに特定の圃場における稲の不耕起直播栽培に関するデータが記述されると、技術的可能性適否判断手段として機能するコンピュータが、当該稲の不耕起直播栽培に関するデータに含まれる稲の不耕起直播栽培の技術的可能性に関するデータに基づいて、技術的可能性の点から当該圃場における稲の不耕起直播栽培の適否を判断するので、当該圃場に関する知識を有する者の勘と経験を要さずとも稲の不耕起直播栽培の適否を容易に判断することが可能になる。
【００３５】
本発明の不耕起直播栽培適否判断プログラムは、コンピュータを、稲の不耕起直播栽培に関するデータに含まれる稲の不耕起直播栽培の収益性に関するデータに基づいて、収益性の点から圃場における稲の不耕起直播栽培の適否を判断する収益性適否判断手段として更に機能させることが好適である。
【００３６】
収益性適否判断手段として機能するコンピュータが、当該稲の不耕起直播栽培に関するデータに含まれる稲の不耕起直播栽培の収益性に関するデータに基づいて、収益性の点から当該圃場における稲の不耕起直播栽培の適否を判断するので、特に収益性の点から稲の不耕起直播栽培の適否を判断することが可能になる。
【００３７】
本発明の不耕起直播栽培適否判断プログラムは、稲の不耕起直播栽培に関するデータが、圃場における播種時期の一定量の降雨後の田面滞水期間に関するデータを含むことが好適である。
【００３８】
播種時期の降雨後の田面滞水期間が長いと圃場における水量の制御が困難であるため稲の不耕起直播栽培に不適であるが、稲の不耕起直播栽培に関するデータが、従来は適否判断における判断要素として用いられていなかった圃場における播種時期の一定量の降雨後の田面滞水期間に関するデータを含むことにより、更に適切に稲の不耕起直播栽培の適否を判断することができる。
【００３９】
本発明の不耕起直播栽培適否判断プログラムは、稲の不耕起直播栽培に関するデータが、圃場の田面と排水路との高低差に関するデータを含むことが好適である。
【００４０】
田面と排水路との高低差が小さいと圃場における水量の制御が困難であるため稲の不耕起直播栽培に不適であるが、稲の不耕起直播栽培に関するデータが、従来は適否判断における判断要素として用いられていなかった圃場の田面と排水路との高低差に関するデータを含むことにより、更に適切に稲の不耕起直播栽培の適否を判断することができる。
【００４１】
本発明の不耕起直播栽培適否判断プログラムは、稲の不耕起直播栽培に関するデータが、圃場における一定量の降雨時の排水路からの逆流可能性に関するデータを含むことが好適である。
【００４２】
降雨時の排水路からの逆流可能性が高いと圃場における水量の制御が困難であるため稲の不耕起直播栽培に不適であるが、稲の不耕起直播栽培に関するデータが、従来は適否判断における判断要素として用いられていなかった圃場における一定量の降雨時の排水路からの逆流可能性に関するデータを含むことにより、更に適切に稲の不耕起直播栽培の適否を判断することができる。
【００４３】
本発明の不耕起直播栽培適否判断プログラムは、稲の不耕起直播栽培に関するデータが、圃場において田植えから一定期間経過後に一定量を潅水した場合の潅水期間に関するデータを含むことが好適である。
【００４４】
田植え後に潅水した場合の潅水期間が短いと圃場に十分な水量を確保するのが困難であるため稲の不耕起直播栽培に不適であるが、稲の不耕起直播栽培に関するデータが、従来は適否判断における判断要素として用いられていなかった圃場において田植えから一定期間経過後に一定量を潅水した場合の潅水期間に関するデータを含むことにより、更に適切に稲の不耕起直播栽培の適否を判断することができる。
【００４５】
本発明の不耕起直播栽培適否判断プログラムは、稲の不耕起直播栽培に関するデータが、前作の収穫後における圃場の凹凸状態に関するデータを含むことが好適である。
【００４６】
前作の収穫後に凹凸があり、そのまま放置されると、圃場の全面を潅水させることが困難になるため稲の不耕起直播栽培に不適であるが、稲の不耕起直播栽培に関するデータが、従来は適否判断における判断要素として用いられていなかった前作の収穫後における圃場の凹凸状態に関するデータを含むことにより、更に適切に稲の不耕起直播栽培の適否を判断することができる。
【００４７】
上記目的を達成するために、本発明の記録媒体は、上記いずれかに記載の不耕起直播栽培適否判断プログラムを記録したことを特徴とする。
【００４８】
格納手段に格納されたデータベースに特定の圃場における稲の不耕起直播栽培に関するデータが記述されると、技術的可能性適否判断手段として機能するコンピュータが、当該稲の不耕起直播栽培に関するデータに含まれる稲の不耕起直播栽培の技術的可能性に関するデータに基づいて、技術的可能性の点から当該圃場における稲の不耕起直播栽培の適否を判断するので、当該圃場に関する知識を有する者の勘と経験を要さずとも稲の不耕起直播栽培の適否を容易に判断することが可能になる。
【００４９】
【発明の実施の形態】
以下、添付図面を参照して、本発明の不耕起直播栽培適否判断システム、不耕起直播栽培適否判断方法、不耕起直播栽培適否判断プログラム及び不耕起直播栽培適否判断プログラムを記録した記録媒体の好適な実施形態について詳細に説明する。
【００５０】
本実施形態の不耕起直播栽培適否判断システム１は、例えば稲の不耕起直播栽培の請負業者が、国内の特定の圃場（依頼圃場）における稲の不耕起直播栽培の請負を依頼されたときに、依頼圃場における稲の不耕起直播栽培の適否を判断するために用いるものである。
【００５１】
不耕起直播栽培適否判断システム１の機能的構成を説明する。
【００５２】
図１は、不耕起直播栽培適否判断システム１の機能的構成を示す図である。図１に示すとおり、不耕起直播栽培適否判断システム１は、格納部１０２、入力部１０４、技術的可能性適否判断部１０６（技術的可能性適否判断手段）、収益性適否判断部１０８（収益性適否判断手段）及び提示部１１０を備える。
【００５３】
以下、各機能的構成要素を説明する。格納部１０２は、圃場プロファイル表を格納する。図２ないし図４は、圃場プロファイル表の内容の一例を示す図である。なお、圃場プロファイル表は特定の依頼圃場（依頼圃場Ｘ）毎に作成される。図２ないし図４に示すとおり、圃場プロファイル表２２は、Ｎｏ．１からＮｏ．３０までの３０個の診断項目を有し、各診断項目について、技術的可能性及び収益性についてのチェック欄、診断項目欄、診断基準欄、項目別診断結果記入欄、判断基準欄並びに関連判断基準欄が設けられている。なお、項目別診断結果記入欄には依頼圃場Ｘに固有のデータ（各診断項目についての項目別診断結果）が記述され、それ以外の欄には国内のすべての圃場に共通するデータが予め記述されている。図２は、Ｎｏ．１からＮｏ．１０までの診断項目に関するものであり、技術的可能性及び収益性についてのチェック欄、診断項目欄、診断基準欄、項目別診断結果記入欄、判断基準欄及び関連判断基準欄を示す。同様に、図３は、Ｎｏ．１１からＮｏ．２０までの診断項目に関するものであり、図４は、Ｎｏ．２１からＮｏ．３０までの診断項目に関するものである。
【００５４】
技術的可能性についてのチェック欄に丸印がチェックされている診断項目は、技術的可能性の点から依頼圃場Ｘにおける稲の不耕起直播栽培の適否又は条件を判断するために用いられる項目であることを示す。収益性についてのチェック欄に丸印がチェックされている診断項目は、収益性の点から依頼圃場Ｘにおける稲の不耕起直播栽培の適否又は条件を判断するために用いられる項目であることを示す。
【００５５】
診断基準欄には、ＡないしＥの５段階の診断基準が記述されている。ただし、一部の診断項目では５未満の段階の診断基準が記述されている。
【００５６】
項目別診断結果記入欄には、各診断項目について依頼圃場Ｘに前述の診断基準を適用することによって得られた項目別診断結果が記述される。
【００５７】
判断基準欄には、前述の項目別診断結果から依頼圃場Ｘにおける稲の不耕起直播栽培の適否を判断するために適用される判断基準が記述されている。技術的可能性に関する診断項目については、Ｎｏ．２４及びＮｏ．２５を除きすべての項目において判断基準が示されている。判断基準欄の具体的な記述内容としては、ＢないしＥの診断基準について×（項目別診断結果が当該診断基準以下である場合には、稲の不耕起直播栽培が不適であることを意味する。）又は→（項目別診断結果が当該診断基準である場合には、後述する関連判断基準欄に示される判断基準を満たす場合にのみ技術的可能性の点から稲の不耕起直播栽培が好適であることを意味する（条件付での判断基準の充足）。）が記述される。例えば、Ｎｏ．１３では、Ｅ：×との記述があるが、項目別診断結果がＥの場合には技術的可能性の点から稲の不耕起直播栽培が不適であることを意味する。また、例えば、Ｎｏ．１３では、Ｄ→との記述があるが、項目別診断結果がＤの場合には後述する関連判断基準欄に示される判断基準を満たす場合にのみ技術的可能性の点から稲の不耕起直播栽培が好適であることを意味する。Ｎｏ．２４及びＮｏ．２５においては判断基準がなく、項目別診断結果は、技術的可能性の点から稲の不耕起直播栽培が好適となるための播種作業日程に関する条件を判断するために用いられる。すなわち、Ｎｏ．２４、Ｎｏ．２５は、技術的可能性適否判断部１０６が、周辺水田の入水時期、依頼圃場における用水使用可能時期についての項目別診断結果から、依頼圃場Ｘにおいて稲の不耕起直播栽培が好適となるための播種作業日程に関する条件を判断するために用いられる診断項目である。収益性に関する診断項目については、一部の項目において判断基準が示されている。判断基準が示されている収益性に関する診断項目における判断基準欄の記述は、技術的可能性に関する診断項目における判断基準欄の記述と同じ意味を持つ。判断基準が示されていない収益性に関する診断項目における項目別診断結果は、他の診断項目において関連判断基準を充足するか判断するために、あるいは収益性適否判断部１０８が非択一的に収益性の点から稲の不耕起直播栽培の適否を判断する（後述するように収益性適否判断部１０８は、各診断項目の項目別診断結果を数値化した上で合算することにより、依頼圃場Ｘにおける稲の不耕起直播栽培の収益性を示す指標の値を算出する。）ために用いられる。
【００５８】
関連判断基準欄には、関連する診断項目における基準（Ａ、Ｂ、Ｃ又はＤ）が記述され、当該関連する診断項目における項目別診断結果が当該基準以上である場合にのみ技術的可能性又は収益性の点から稲の不耕起直播栽培が好適であることを意味する。例えば、Ｎｏ．４の関連判断基準欄では、Ｎｏ．２にＤが記述され、Ｎｏ．３にＤが記述されているが、Ｎｏ．２における項目別診断結果がＤ以上であり、かつＮｏ．３における項目別診断結果がＤ以上である場合にのみ技術的可能性又は収益性の点から稲の不耕起直播栽培が好適であることを意味する。
【００５９】
ここで、各診断項目を説明する。Ｎｏ．１は、拠点（農機倉庫）から依頼圃場までの距離について診断する項目である。Ｎｏ．２は、依頼圃場から半径１ｋｍ内にある他の依頼圃場の面積について診断する項目である。Ｎｏ．３は、依頼圃場がある地区の水田面積について診断する項目である。Ｎｏ．４は、依頼圃場と隣接圃場との高低差について診断する項目である。Ｎｏ．５は、依頼圃場の面積について診断する項目である。Ｎｏ．６は、依頼圃場の形状について診断する項目である。Ｎｏ．７は、依頼圃場が面する農道の幅員について診断する項目である。Ｎｏ．８は、依頼圃場の過去の平均収量（１０ａあたり）について診断する項目である。Ｎｏ．９は、依頼圃場の乾田・湿田の程度について診断する項目である。Ｎｏ．１０は、依頼圃場の地下水位について診断する項目である。Ｎｏ．１１は、依頼圃場の暗渠排水設備について診断する項目である。Ｎｏ．１２は、依頼圃場の土壌について診断する項目である。Ｎｏ．１３は、播種時期における２０ｍｍ／ｄａｙの降雨後の田面滞水期間について診断する項目である。Ｎｏ．１４は、依頼圃場の田面と排水路との高低差について診断する項目である。Ｎｏ．１５は、２０ｍｍ／ｄａｙの降雨時の排水路からの逆流可能性について診断する項目である。Ｎｏ．１６は、依頼圃場で使用できる用水の量について診断する項目である。Ｎｏ．１７は、田植え１０日後に５ｃｍ潅水した場合の潅水期間について診断する項目である。Ｎｏ．１８は、依頼圃場の区画整理経過年数について診断する項目である。Ｎｏ．１９は、前年の潅水時期における均平度について診断する項目である。Ｎｏ．２０は、依頼圃場への用水方法について診断する項目である。Ｎｏ．２１は、依頼圃場の排水方法について診断する項目である。Ｎｏ．２２は、依頼圃場の畦畔の状態について診断する項目である。Ｎｏ．２３は、依頼圃場の畦畔の幅について診断する項目である。Ｎｏ．２４は、周辺水田の入水時期について診断する項目である。Ｎｏ．２５は、依頼圃場における用水使用可能時期について診断する項目である。Ｎｏ．２６は、前作の収穫後における依頼圃場の凹凸状況について診断する項目である。Ｎｏ．２７は、依頼圃場における排わらの状況について診断する項目である。Ｎｏ．２８は、依頼圃場の前年１２月時点でのヒコバエの状況について診断する項目である。Ｎｏ．２９は、依頼圃場の前作栽培品種について診断する項目である。Ｎｏ．３０は、前回栽培時期における依頼圃場の使用状態について診断する項目である。
【００６０】
入力部１０４は、各診断項目についての項目別診断結果が入力されたときに、圃場プロファイル表の該当する項目別診断結果記入欄に項目別診断結果を記入する機能を有する。
【００６１】
技術的可能性適否判断部１０６は、圃場プロファイル表を参照して、技術的可能性の点から該当する圃場における稲の不耕起直播栽培の適否を判断する機能及び技術的可能性の点から該当する圃場における稲の不耕起直播栽培が好適となるための条件を判断する機能を有する（判断手順は後述する。）。
【００６２】
収益性適否判断部１０８は、圃場プロファイル表を参照して、収益性の点から該当する圃場における稲の不耕起直播栽培の適否を判断する機能及び収益性の点から該当する圃場における稲の不耕起直播栽培が好適となるための条件を判断する機能を有する（判断手順は後述する。）。
【００６３】
提示部１１０は、技術的可能性適否判断部１０６及び収益性適否判断部１０８による判断結果を提示する機能を有する。
【００６４】
次に、不耕起直播栽培適否判断システム１の動作を説明する。併せて、各診断項目に関する動作の説明に続いて、当該動作による作用を説明する。
【００６５】
図５及び図６は、不耕起直播栽培適否判断システム１が、圃場プロファイル表２２に基づいて、技術的可能性の点から依頼圃場Ｘにおける稲の不耕起直播栽培の適否を判断する動作の手順を示すフローチャートである。なお、図５では、Ｓ５１１ないしＳ５１９の記載が省略されている。図６では、Ｓ６２１ないしＳ６２９の記載が省略されている。
【００６６】
依頼圃場Ｘについての項目別診断結果が入力されると、入力部１０４が、当該項目別診断結果を圃場プロファイル表２２の項目別診断結果記入欄に記入する（Ｓ５０２）。
【００６７】
技術的可能性適否判断部１０６は、Ｎｏ．９（依頼圃場の乾田・湿田の程度）に関し、技術的可能性の点から依頼圃場Ｘにおける稲の不耕起直播栽培の適否を判断する（Ｓ５０９）。項目別診断結果記入欄に記述されている項目別診断結果が判断基準を充足する場合、すなわち項目別診断結果がＣ以上である場合には、Ｎｏ．９に関しては技術的可能性の点から依頼圃場Ｘにおける稲の不耕起直播栽培が好適であると判断してＳ５１０に進み、その他の場合にはＳ５０９ｂに進む（Ｓ５０９ａ）。Ｓ５０９ｂに進み、項目別診断結果記入欄に記述されている項目別診断結果が条件付で判断基準を充足する場合、すなわち項目別診断結果がＤ又はＥである場合には、Ｓ５０９ｃに進む（Ｓ５０９ｂ）。Ｓ５０９ｃに進み、関連判断基準を充足する場合、すなわちＮｏ．９の項目別診断結果がＤである場合においてＮｏ．１１の項目別診断結果がＡである場合又はＮｏ．９の項目別診断結果がＥである場合においてＮｏ．１１の項目別診断結果がＡである場合には、Ｎｏ．９に関しては技術的可能性の点から依頼圃場Ｘにおける稲の不耕起直播栽培が好適であると判断してＳ５１０に進む（Ｓ５０９ｃ）。Ｓ５０９ｂ又はＳ５０９ｃのいずれかにおいてＮｏであった場合には、Ｓ６５０に進む。
【００６８】
なお、Ｎｏ．９においては、項目別診断結果がＥである場合にも条件付で判断基準を充足するので、Ｓ５０９ｂでＮｏになることはない。以後の診断項目においても同様の判断がなされることがあるが説明を省略する。
【００６９】
湿田は技術的可能性の点から稲の不耕起直播栽培に不適であるが、上記のＮｏ．９に関する動作により、湿田でかつ暗渠排水設備のない圃場を請負圃場から排除することができる。
【００７０】
技術的可能性適否判断部１０６は、Ｎｏ．１０（依頼圃場の地下水位）に関し、技術的可能性の点から依頼圃場Ｘにおける稲の不耕起直播栽培の適否を判断する（Ｓ５１０）。項目別診断結果記入欄に記述されている項目別診断結果が判断基準を充足する場合、すなわち項目別診断結果がＤ以上である場合には、Ｎｏ．１０に関しては技術的可能性の点から依頼圃場Ｘにおける稲の不耕起直播栽培が好適であると判断してＳ５１１に進み、その他の場合にはＳ５１０ｂに進む（Ｓ５１０ａ）。Ｓ５１０ｂに進み、項目別診断結果記入欄に記述されている項目別診断結果が条件付で判断基準を充足する場合、すなわち項目別診断結果がＥである場合には、Ｓ５１０ｃに進む（Ｓ５１０ｂ）。Ｓ５１０ｃに進み、関連判断基準を充足する場合、すなわちＮｏ．１０の項目別診断結果がＥである場合においてＮｏ．１１の項目別診断結果がＡである場合には、Ｎｏ．１０に関しては技術的可能性の点から依頼圃場Ｘにおける稲の不耕起直播栽培が好適であると判断してＳ５１１に進む（Ｓ５１０ｃ）。Ｓ５１０ｂ又はＳ５１０ｃのいずれかにおいてＮｏであった場合には、Ｓ６５０に進む。
【００７１】
地下水位が浅いと圃場における水量の制御が困難になり技術的可能性の点から稲の不耕起直播栽培に不適であるが、上記のＮｏ．１０に関する動作により、地下水位が浅くかつ暗渠排水設備のない圃場を請負圃場から排除することができる。
【００７２】
技術的可能性適否判断部１０６は、Ｎｏ．１１（依頼圃場の暗渠排水設備）に関し、技術的可能性の点から依頼圃場Ｘにおける稲の不耕起直播栽培の適否を判断する（Ｓ５１１）。項目別診断結果記入欄に記述されている項目別診断結果が判断基準を充足する場合、すなわち項目別診断結果がＡである場合には、Ｎｏ．１１に関しては技術的可能性の点から依頼圃場Ｘにおける稲の不耕起直播栽培が好適であると判断してＳ５１２に進み、その他の場合にはＳ５１１ｂに進む（Ｓ５１１ａ）。Ｓ５１１ｂに進み、項目別診断結果記入欄に記述されている項目別診断結果が条件付で判断基準を充足する場合、すなわち項目別診断結果がＢである場合には、Ｓ５１１ｃに進む（Ｓ５１１ｂ）。Ｓ５１１ｃに進み、関連判断基準を充足する場合、すなわちＮｏ．１１の項目別診断結果がＢである場合においてＮｏ．９の項目別診断結果がＣ以上で、かつＮｏ．１０の項目別診断結果がＣ以上である場合には、Ｎｏ．１１に関しては技術的可能性の点から依頼圃場Ｘにおける稲の不耕起直播栽培が好適であると判断してＳ５１２に進む（Ｓ５１１ｃ）。Ｓ５１１ｂ又はＳ５１１ｃのいずれかにおいてＮｏであった場合には、Ｓ６５０に進む。
【００７３】
暗渠排水設備がないと圃場における水量の制御が困難になり技術的可能性の点から稲の不耕起直播栽培に不適であるが、上記のＮｏ．１１に関する動作により、暗渠排水設備がなくかつ湿田であるか地下水位が浅い圃場を請負圃場から排除することができる。
【００７４】
技術的可能性適否判断部１０６は、Ｎｏ．１２（依頼圃場の土壌）に関し、技術的可能性の点から依頼圃場Ｘにおける稲の不耕起直播栽培の適否を判断する（Ｓ５１２）。項目別診断結果記入欄に記述されている項目別診断結果が判断基準を充足する場合、すなわち項目別診断結果がＣ以上である場合には、Ｎｏ．１２に関しては技術的可能性の点から依頼圃場Ｘにおける稲の不耕起直播栽培が好適であると判断してＳ５１３に進み、その他の場合にはＳ５１２ｂに進む（Ｓ５１２ａ）。Ｓ５１２ｂに進み、項目別診断結果記入欄に記述されている項目別診断結果が条件付で判断基準を充足する場合、すなわち項目別診断結果がＤ又はＥである場合には、Ｓ５１２ｃに進む（Ｓ５１２ｂ）。Ｓ５１２ｃに進み、関連判断基準を充足する場合、すなわちＮｏ．１２の項目別診断結果がＤである場合においてＮｏ．８の項目別診断結果がＣ以上でかつＮｏ．１１の項目別診断結果がＡ以上である場合又はＮｏ．１２の項目別診断結果がＥである場合においてＮｏ．８の項目別診断結果がＣ以上でかつＮｏ．１１の項目別診断結果がＡ以上である場合には、Ｎｏ．１２に関しては技術的可能性の点から依頼圃場Ｘにおける稲の不耕起直播栽培が好適であると判断してＳ５１３に進む（Ｓ５１２ｃ）。Ｓ５１２ｂ又はＳ５１２ｃのいずれかにおいてＮｏであった場合には、Ｓ６５０に進む。
【００７５】
重粘な埴土又は泥炭土の圃場では水量の制御が困難であるため技術的可能性の点から稲の不耕起直播栽培に不適であるが、上記のＮｏ．１２に関する動作により、重粘な埴土又は泥炭土でかつ過去の平均収量が少ないか、暗渠排水設備がない圃場を請負圃場から排除することができる。
【００７６】
技術的可能性適否判断部１０６は、Ｎｏ．１３（播種時期における２０ｍｍ／ｄａｙの降雨後の田面滞水期間（圃場の排水口を開口した状態で水がなくなるまでに要する期間））に関し、技術的可能性の点から依頼圃場Ｘにおける稲の不耕起直播栽培の適否を判断する（Ｓ５１３）。項目別診断結果記入欄に記述されている項目別診断結果が判断基準を充足する場合、すなわち項目別診断結果がＣ以上である場合には、Ｎｏ．１３に関しては技術的可能性の点から依頼圃場Ｘにおける稲の不耕起直播栽培が好適であると判断してＳ５１４に進み、その他の場合にはＳ５１３ｂに進む（Ｓ５１３ａ）。Ｓ５１３ｂに進み、項目別診断結果記入欄に記述されている項目別診断結果が条件付で判断基準を充足する場合、すなわち項目別診断結果がＤである場合には、Ｓ５１３ｃに進む（Ｓ５１３ｂ）。Ｓ５１３ｃに進み、関連判断基準を充足する場合、すなわちＮｏ．１３の項目別診断結果がＤである場合においてＮｏ．８の項目別診断結果がＣ以上でかつＮｏ．１１の項目別診断結果がＡ以上である場合には、Ｎｏ．１３に関しては技術的可能性の点から依頼圃場Ｘにおける稲の不耕起直播栽培が好適であると判断してＳ５１４に進む（Ｓ５１３ｃ）。Ｓ５１３ｂ又はＳ５１３ｃのいずれかにおいてＮｏであった場合には、Ｓ６５０に進む。
【００７７】
播種時期における２０ｍｍ／ｄａｙの降雨後の田面滞水期間が長いと圃場における水量の制御が困難であるため技術的可能性の点から稲の不耕起直播栽培に不適であるが、上記のＮｏ．１３に関する動作により、播種時期における２０ｍｍ／ｄａｙの降雨後の田面滞水期間が長くかつ過去の平均収量が少ないか、暗渠排水設備がない圃場を請負圃場から排除することができる。
【００７８】
技術的可能性適否判断部１０６は、Ｎｏ．１４（依頼圃場の田面と排水路との高低差）に関し、技術的可能性の点から依頼圃場Ｘにおける稲の不耕起直播栽培の適否を判断する（Ｓ５１４）。項目別診断結果記入欄に記述されている項目別診断結果が判断基準を充足する場合、すなわち項目別診断結果がＣ以上である場合には、Ｎｏ．１４に関しては技術的可能性の点から依頼圃場Ｘにおける稲の不耕起直播栽培が好適であると判断してＳ５１５に進み、その他の場合にはＳ５１４ｂに進む（Ｓ５１４ａ）。Ｓ５１４ｂに進み、項目別診断結果記入欄に記述されている項目別診断結果が条件付で判断基準を充足する場合、すなわち項目別診断結果がＤである場合には、Ｓ５１４ｃに進む（Ｓ５１４ｂ）。Ｓ５１４ｃに進み、関連判断基準を充足する場合、すなわちＮｏ．１４の項目別診断結果がＤである場合においてＮｏ．１３の項目別診断結果がＣ以上である場合には、Ｎｏ．１４に関しては技術的可能性の点から依頼圃場Ｘにおける稲の不耕起直播栽培が好適であると判断してＳ５１５に進む（Ｓ５１４ｃ）。Ｓ５１４ｂ又はＳ５１４ｃのいずれかにおいてＮｏであった場合には、Ｓ６５０に進む。
【００７９】
田面と排水路との高低差が小さいと圃場における水量の制御が困難であるため技術的可能性の点から稲の不耕起直播栽培に不適であるが、上記のＮｏ．１４に関する動作により、田面と排水路との高低差が小さくかつ過去の平均収量が少なく、暗渠排水設備がない圃場を請負圃場から排除することができる。
【００８０】
技術的可能性適否判断部１０６は、Ｎｏ．１５（２０ｍｍ／ｄａｙの降雨時の排水路からの逆流可能性）に関し、技術的可能性の点から依頼圃場Ｘにおける稲の不耕起直播栽培の適否を判断する（Ｓ５１５）。項目別診断結果記入欄に記述されている項目別診断結果が判断基準を充足する場合、すなわち項目別診断結果がＢ以上である場合には、Ｎｏ．１５に関しては技術的可能性の点から依頼圃場Ｘにおける稲の不耕起直播栽培が好適であると判断してＳ５１６に進み、その他の場合にはＳ５１５ｂに進む（Ｓ５１５ａ）。Ｓ５１５ｂに進み、項目別診断結果記入欄に記述されている項目別診断結果が条件付で判断基準を充足する場合、すなわち項目別診断結果がＣである場合には、Ｓ５１５ｃに進む（Ｓ５１５ｂ）。Ｓ５１５ｃに進み、関連判断基準を充足する場合、すなわちＮｏ．１５の項目別診断結果がＣである場合においてＮｏ．１３の項目別診断結果がＢ以上であり、かつＮｏ．１４の項目別診断結果がＢ以上である場合には、Ｎｏ．１５に関しては技術的可能性の点から依頼圃場Ｘにおける稲の不耕起直播栽培が好適であると判断してＳ５１６に進む（Ｓ５１５ｃ）。Ｓ５１５ｂ又はＳ５１５ｃのいずれかにおいてＮｏであった場合には、Ｓ６５０に進む。
【００８１】
２０ｍｍ／ｄａｙの降雨時の排水路からの逆流可能性が高いと圃場における水量の制御が困難であるため技術的可能性の点から稲の不耕起直播栽培に不適であるが、上記のＮｏ．１５に関する動作により、２０ｍｍ／ｄａｙの降雨時の排水路からの逆流可能性が高くかつ播種時期における２０ｍｍ／ｄａｙの降雨後の田面滞水期間が長いか、田面と排水路との高低差が小さい圃場を請負圃場から排除することができる。
【００８２】
技術的可能性適否判断部１０６は、Ｎｏ．１６（依頼圃場で使用できる用水の量）に関し、技術的可能性の点から依頼圃場Ｘにおける稲の不耕起直播栽培の適否を判断する（Ｓ５１６）。項目別診断結果記入欄に記述されている項目別診断結果が判断基準を充足する場合、すなわち項目別診断結果がＤ以上である場合には、Ｎｏ．１６に関しては技術的可能性の点から依頼圃場Ｘにおける稲の不耕起直播栽培が好適であると判断してＳ５１７に進み、その他の場合にはＳ５１６ｂに進む（Ｓ５１６ａ）。Ｓ５１６ｂに進み、項目別診断結果記入欄に記述されている項目別診断結果が条件付で判断基準を充足するか判断される（Ｓ５１６ｂ）。ただし、Ｎｏ．１６では関連判断基準が示されていないのでＳ５１６ｃに進むことはなく、すべてＳ６５０に進む。
【００８３】
使用できる用水の量が不足していると圃場に十分な水量を確保するのが困難であるため技術的可能性の点から稲の不耕起直播栽培に不適であるが、上記のＮｏ．１６に関する動作により、使用できる用水の量が不足している圃場を請負圃場から排除することができる。
【００８４】
技術的可能性適否判断部１０６は、Ｎｏ．１７（田植え１０日後に５ｃｍ潅水した場合の潅水期間）に関し、技術的可能性の点から依頼圃場Ｘにおける稲の不耕起直播栽培の適否を判断する（Ｓ５１７）。項目別診断結果記入欄に記述されている項目別診断結果が判断基準を充足する場合、すなわち項目別診断結果がＣ以上である場合には、Ｎｏ．１７に関しては技術的可能性の点から依頼圃場Ｘにおける稲の不耕起直播栽培が好適であると判断してＳ５１８に進み、その他の場合にはＳ５１７ｂに進む（Ｓ５１７ａ）。Ｓ５１７ｂに進み、項目別診断結果記入欄に記述されている項目別診断結果が条件付で判断基準を充足する場合、すなわち項目別診断結果がＤである場合には、Ｓ５１７ｃに進む（Ｓ５１７ｂ）。Ｓ５１７ｃに進み、関連判断基準を充足する場合、すなわちＮｏ．１７の項目別診断結果がＤである場合においてＮｏ．１６の項目別診断結果がＣ以上である場合には、Ｎｏ．１７に関しては技術的可能性の点から依頼圃場Ｘにおける稲の不耕起直播栽培が好適であると判断してＳ５１８に進む（Ｓ５１７ｃ）。Ｓ５１７ｂ又はＳ５１７ｃのいずれかにおいてＮｏであった場合には、Ｓ６５０に進む。
【００８５】
田植え１０日後に５ｃｍ潅水した場合の潅水期間が短いと圃場に十分な水量を確保するのが困難であるため技術的可能性の点から稲の不耕起直播栽培に不適であるが、上記のＮｏ．１７に関する動作により、田植え１０日後に５ｃｍ潅水した場合の潅水期間が短く、かつ使用できる用水の量が不足している圃場を請負圃場から排除することができる。
【００８６】
技術的可能性適否判断部１０６は、Ｎｏ．１８（依頼圃場の区画整理経過年数）に関し、技術的可能性の点から依頼圃場Ｘにおける稲の不耕起直播栽培の適否を判断する（Ｓ５１８）。項目別診断結果記入欄に記述されている項目別診断結果が判断基準を充足する場合、すなわち項目別診断結果がＣ以上である場合には、Ｎｏ．１８に関しては技術的可能性の点から依頼圃場Ｘにおける稲の不耕起直播栽培が好適であると判断してＳ５１９に進み、その他の場合にはＳ５１８ｂに進む（Ｓ５１８ａ）。Ｓ５１８ｂに進み、項目別診断結果記入欄に記述されている項目別診断結果が条件付で判断基準を充足する場合、すなわち項目別診断結果がＤである場合には、Ｓ５１８ｃに進む（Ｓ５１８ｂ）。Ｓ５１８ｃに進み、関連判断基準を充足する場合、すなわちＮｏ．１８の項目別診断結果がＤである場合においてＮｏ．１３の項目別診断結果がＣ以上であり、かつＮｏ．１７の項目別診断結果がＣ以上である場合には、Ｎｏ．１８に関しては技術的可能性の点から依頼圃場Ｘにおける稲の不耕起直播栽培が好適であると判断してＳ５１９に進む（Ｓ５１８ｃ）。Ｓ５１８ｂ又はＳ５１８ｃのいずれかにおいてＮｏであった場合には、Ｓ６５０に進む。
【００８７】
区画整理経過年数が短いと圃場における水量の制御が困難であるため技術的可能性の点から稲の不耕起直播栽培に不適であるが、上記のＮｏ．１８に関する動作により、区画整理経過年数が短く、かつ水捌け、水もちの悪い圃場（播種時期における２０ｍｍ／ｄａｙの降雨後の田面滞水期間が長いか、田植え１０日後に５ｃｍ潅水した場合の潅水期間が短い圃場）を請負圃場から排除することができる。
【００８８】
技術的可能性適否判断部１０６は、Ｎｏ．１９（前年の潅水時期における均平度）に関し、技術的可能性の点から依頼圃場Ｘにおける稲の不耕起直播栽培の適否を判断する（Ｓ５１９）。項目別診断結果記入欄に記述されている項目別診断結果が判断基準を充足する場合、すなわち項目別診断結果がＣ以上である場合には、Ｎｏ．１９に関しては技術的可能性の点から依頼圃場Ｘにおける稲の不耕起直播栽培が好適であると判断してＳ５２０に進み、その他の場合にはＳ５１９ｂに進む（Ｓ５１９ａ）。Ｓ５１９ｂに進み、項目別診断結果記入欄に記述されている項目別診断結果が条件付で判断基準を充足する場合、すなわち項目別診断結果がＤ又はＥである場合には、Ｓ５１９ｃに進む（Ｓ５１９ｂ）。Ｓ５１９ｃに進み、関連判断基準を充足する場合、すなわちＮｏ．１９の項目別診断結果がＤである場合においてＮｏ．１７の項目別診断結果がＣ以上ある場合又はＮｏ．１９の項目別診断結果がＥである場合においてＮｏ．１７の項目別診断結果がＢ以上である場合には、Ｎｏ．１９に関しては技術的可能性の点から依頼圃場Ｘにおける稲の不耕起直播栽培が好適であると判断してＳ５２０に進む（Ｓ５１９ｃ）。Ｓ５１９ｂ又はＳ５１９ｃのいずれかにおいてＮｏであった場合には、Ｓ６５０に進む。
【００８９】
潅水時期における均平度が悪い圃場では全面を潅水させることが困難であるため技術的可能性の点から稲の不耕起直播栽培に不適であるが、上記のＮｏ．１９に関する動作により、潅水時期における均平度が悪くかつ水もちの悪い圃場（田植え１０日後に５ｃｍ潅水した場合の潅水期間が短い圃場）を請負圃場から排除し、あるいは適切な条件を判断することができる。
【００９０】
技術的可能性適否判断部１０６は、Ｎｏ．２０（依頼圃場への用水方法）に関し、技術的可能性の点から依頼圃場Ｘにおける稲の不耕起直播栽培の適否を判断する（Ｓ６２０）。項目別診断結果記入欄に記述されている項目別診断結果が判断基準を充足する場合、すなわち項目別診断結果がＡである場合には、Ｎｏ．２０に関しては技術的可能性の点から依頼圃場Ｘにおける稲の不耕起直播栽培が好適であると判断してＳ６２１に進み、その他の場合にはＳ６２０ｂに進む（Ｓ６２０ａ）。Ｓ６２０ｂに進み、項目別診断結果記入欄に記述されている項目別診断結果が条件付で判断基準を充足する場合、すなわち項目別診断結果がＢである場合には、Ｓ６２０ｃに進む（Ｓ６２０ｂ）。Ｓ６２０ｃに進み、関連判断基準を充足する場合、すなわちＮｏ．２０の項目別診断結果がＢである場合においてＮｏ．１６の項目別診断結果がＢ以上である場合には、Ｓ６２０ｄに進む（Ｓ６２０ｃ）。Ｎｏ．２０に関して技術的可能性の点から依頼圃場Ｘにおける稲の不耕起直播栽培が好適になるための条件（用水路が直結する上の田と同時受託であること）が判断され、Ｓ６２１に進む（Ｓ６２０ｄ）。Ｓ６２０ｂ又はＳ６２０ｃのいずれかにおいてＮｏであった場合には、Ｓ６５０に進む。
【００９１】
標高が高い上の田から用水する田圃では十分な水量を確保するのが困難であるため技術的可能性の点から稲の不耕起直播栽培に不適であるが、上記のＮｏ．２０に関する動作により、標高が高い上の田から用水しかつ使用できる用水の量が不足している圃場を請負圃場から排除し、あるいは適切な条件を判断することができる。
【００９２】
技術的可能性適否判断部１０６は、Ｎｏ．２１（依頼圃場の排水方法）に関し、技術的可能性の点から依頼圃場Ｘにおける稲の不耕起直播栽培の適否を判断する（Ｓ６２１）。項目別診断結果記入欄に記述されている項目別診断結果が判断基準を充足する場合、すなわち項目別診断結果がＡである場合には、Ｎｏ．２１に関しては技術的可能性の点から依頼圃場Ｘにおける稲の不耕起直播栽培が好適であると判断してＳ６２２に進み、その他の場合にはＳ６２１ｂに進む（Ｓ６２１ａ）。Ｓ６２１ｂに進み、項目別診断結果記入欄に記述されている項目別診断結果が条件付で判断基準を充足する場合、すなわち項目別診断結果がＢである場合には、Ｓ６２１ｄに進む（Ｓ６２１ｂ）。Ｎｏ．２１に関して技術的可能性の点から依頼圃場Ｘにおける稲の不耕起直播栽培が好適になるための条件（排水路が直結する上の田と同時受託であること）が判断され、Ｓ６２１に進む（Ｓ６２１ｄ）。Ｓ６２１ｂにおいてＮｏであった場合には、Ｓ６５０に進む。
【００９３】
標高が低い下の田へ排水する田圃では水量の制御が困難であるため技術的可能性の点から稲の不耕起直播栽培に不適であるが、上記のＮｏ．２１に関する動作により、適切な条件を判断することができる。
【００９４】
技術的可能性適否判断部１０６は、Ｎｏ．２２（依頼圃場の畦畔の状態）に関し、技術的可能性の点から依頼圃場Ｘにおける稲の不耕起直播栽培の適否を判断する（Ｓ６２２）。項目別診断結果記入欄に記述されている項目別診断結果が判断基準を充足する場合、すなわち項目別診断結果がＡである場合には、Ｎｏ．２２に関しては技術的可能性の点から依頼圃場Ｘにおける稲の不耕起直播栽培が好適であると判断してＳ６２３に進み、その他の場合にはＳ６２２ｂに進む（Ｓ６２２ａ）。Ｓ６２２ｂに進み、項目別診断結果記入欄に記述されている項目別診断結果が条件付で判断基準を充足する場合、すなわち項目別診断結果がＢ又はＣである場合には、Ｓ６２２ｄに進む（Ｓ６２２ｂ）。Ｎｏ．２２に関して技術的可能性の点から依頼圃場Ｘにおける稲の不耕起直播栽培が好適になるための条件（項目別診断結果がＢである場合には畦畔補修追加作業がなされること、項目別診断結果がＣである場合には畦塗り機で畦畔が再構築されること）が判断され、Ｓ６２３に進む（Ｓ６２２ｄ）。Ｓ６２２ｂにおいてＮｏであった場合には、Ｓ６５０に進む。
【００９５】
畦畔が軟弱であると隣接する田から水が流入しやすく、田圃における水量の制御が困難になるため技術的可能性の点から稲の不耕起直播栽培に不適であるが、上記のＮｏ．２２に関する動作により、適切な条件を判断することができる。
【００９６】
技術的可能性適否判断部１０６は、Ｎｏ．２３（依頼圃場の畦畔の幅）に関し、技術的可能性の点から依頼圃場Ｘにおける稲の不耕起直播栽培の適否を判断する（Ｓ６２３）。項目別診断結果記入欄に記述されている項目別診断結果が判断基準を充足する場合、すなわち項目別診断結果がＢ以上である場合には、Ｎｏ．２３に関しては技術的可能性の点から依頼圃場Ｘにおける稲の不耕起直播栽培が好適であると判断してＳ６２４に進み、その他の場合にはＳ６２３ｂに進む（Ｓ６２３ａ）。Ｓ６２３ｂに進み、項目別診断結果記入欄に記述されている項目別診断結果が条件付で判断基準を充足する場合、すなわち項目別診断結果がＣである場合には、Ｓ６２３ｄに進む（Ｓ６２３ｂ）。Ｎｏ．２３に関して技術的可能性の点から依頼圃場Ｘにおける稲の不耕起直播栽培が好適になるための条件（畦塗り機で畦畔が再構築されること）が判断され、Ｓ６２４に進む（Ｓ６２３ｄ）。Ｓ６２３ｂにおいてＮｏであった場合には、Ｓ６５０に進む。
【００９７】
畦畔の幅が狭いと隣接する田から水が流入しやすく、田圃における水量の制御が困難になるため技術的可能性の点から稲の不耕起直播栽培に不適であるが、上記のＮｏ．２３に関する動作により、畦畔の幅が狭い圃場を請負圃場から排除し、あるいは適切な条件を判断することができる。
【００９８】
技術的可能性適否判断部１０６は、Ｎｏ．２４（周辺水田の入水時期）に関し、周辺水田の入水予定日が発芽予定日の後となるように、技術的可能性の点から依頼圃場Ｘにおける稲の不耕起直播栽培が好適になるための条件（播種作業終了日が周辺水田の入水時期の始期の２０日前であること）を判断する（Ｓ６２４）。すなわち、技術的可能性適否判断部１０６は、依頼圃場Ｘにおける稲の不耕起直播栽培が好適になるための条件として、項目別診断結果欄に記述される診断基準の期間の始期の２０日前又はそれ以前が播種作業終了日であることを判断する。
【００９９】
技術的可能性適否判断部１０６は、Ｎｏ．２５（依頼圃場における用水使用可能時期）に関し、播種作業開始日により決定される入水予定日が用水使用可能期間の始期の後となるように、技術的可能性の点から依頼圃場Ｘにおける稲の不耕起直播栽培が好適になるための条件（播種作業開始日が依頼圃場における用水使用可能時期の始期の４０日前であること）を判断する（Ｓ６２５）。すなわち、技術的可能性適否判断部１０６は、依頼圃場Ｘにおける稲の不耕起直播栽培が好適になるための条件として、項目別診断結果欄に記述される診断基準の期間の始期の４０日前又はそれ以後が播種作業開始日であることを判断する。
【０１００】
技術的可能性適否判断部１０６は、Ｎｏ．２６（前作の収穫後における依頼圃場の凹凸状況）に関し、技術的可能性の点から依頼圃場Ｘにおける稲の不耕起直播栽培の適否を判断する（Ｓ６２６）。項目別診断結果記入欄に記述されている項目別診断結果が判断基準を充足する場合、すなわち項目別診断結果がＣ以上である場合には、Ｎｏ．２６に関しては技術的可能性の点から依頼圃場Ｘにおける稲の不耕起直播栽培が好適であると判断してＳ６２７に進み、その他の場合にはＳ６２６ｂに進む（Ｓ６２６ａ）。Ｓ６２６ｂに進み、項目別診断結果記入欄に記述されている項目別診断結果が条件付で判断基準を充足する場合、すなわち項目別診断結果がＤ又はＥである場合には、Ｓ６２６ｄに進む（Ｓ６２６ｂ）。Ｎｏ．２６に関して技術的可能性の点から依頼圃場Ｘにおける稲の不耕起直播栽培が好適になるための条件（項目別診断結果がＤである場合には３月末までに局部（圃場面積の１０％以下）浅耕し均平にすること、項目別診断結果がＥである場合には３月末までに部分（圃場面積の１０％以上）浅耕し均平にすること）が判断され、Ｓ６２７に進む（Ｓ６２６ｄ）。Ｓ６２６ｂにおいてＮｏであった場合には、Ｓ６５０に進む。
【０１０１】
前作の収穫後に凹凸があり、そのまま放置されると、依頼圃場の全面を潅水させることが困難になるため技術的可能性の点から稲の不耕起直播栽培に不適であるが、上記のＮｏ．２６に関する動作により、適切な条件を判断することができる。
【０１０２】
技術的可能性適否判断部１０６は、Ｎｏ．２７（依頼圃場における排わらの状況）に関し、技術的可能性の点から依頼圃場Ｘにおける稲の不耕起直播栽培の適否を判断する（Ｓ６２７）。項目別診断結果記入欄に記述されている項目別診断結果が判断基準を充足する場合、すなわち項目別診断結果がＣ以上である場合には、Ｎｏ．２７に関しては技術的可能性の点から依頼圃場Ｘにおける稲の不耕起直播栽培が好適であると判断してＳ６２８に進み、その他の場合にはＳ６２７ｂに進む（Ｓ６２７ａ）。Ｓ６２７ｂに進み、項目別診断結果記入欄に記述されている項目別診断結果が条件付で判断基準を充足する場合、すなわち項目別診断結果がＤ又はＥである場合には、Ｓ６２７ｄに進む（Ｓ６２７ｂ）。Ｎｏ．２７に関して技術的可能性の点から依頼圃場Ｘにおける稲の不耕起直播栽培が好適になるための条件（３月末までに均一分散又は圃場外へ排出されること）が判断され、Ｓ６２８に進む（Ｓ６２７ｄ）。Ｓ６２７ｂにおいてＮｏであった場合には、Ｓ６５０に進む。
【０１０３】
依頼圃場に残存した排わらが不均一に分散していると機械による農作業が困難になるため技術的可能性の点から稲の不耕起直播栽培に不適であるが、上記のＮｏ．２７に関する動作により、適切な条件を判断することができる。
【０１０４】
技術的可能性適否判断部１０６は、Ｎｏ．２８（依頼圃場の前年１２月時点でのヒコバエの状況）に関し、技術的可能性の点から依頼圃場Ｘにおける稲の不耕起直播栽培の適否を判断する（Ｓ６２８）。項目別診断結果記入欄に記述されている項目別診断結果が判断基準を充足する場合、すなわち項目別診断結果がＣ以上である場合には、Ｎｏ．２８に関しては技術的可能性の点から依頼圃場Ｘにおける稲の不耕起直播栽培が好適であると判断してＳ６２９に進み、その他の場合にはＳ６２８ｂに進む（Ｓ６２８ａ）。Ｓ６２８ｂに進み、項目別診断結果記入欄に記述されている項目別診断結果が条件付で判断基準を充足する場合、すなわち項目別診断結果がＤ又はＥである場合には、Ｓ６２８ｄに進む（Ｓ６２８ｂ）。Ｎｏ．２８に関して技術的可能性の点から依頼圃場Ｘにおける稲の不耕起直播栽培が好適になるための条件（項目別診断結果がＤである場合には前作と同一品種の栽培であること、項目別診断結果がＥである場合には４月までに焼却されるか、刈り取られた上で圃場外へ排出されることあるいは前作と同一品種の栽培でありかつ５月中旬以降に播種されること）が判断され、Ｓ６２９に進む（Ｓ６２８ｄ）。Ｓ６２８ｂにおいてＮｏであった場合には、Ｓ６５０に進む。
【０１０５】
依頼圃場においてヒコバエが登熟すると、稲が過剰に発芽し、また前作と異なる品種を栽培する場合に複数の品種が同時に生育することになるため技術的可能性の点から稲の不耕起直播栽培に不適であるが、上記のＮｏ．２８に関する動作により、適切な条件を判断することができる。
【０１０６】
技術的可能性適否判断部１０６は、Ｎｏ．２９（依頼圃場の前作栽培品種）に関し、技術的可能性の点から依頼圃場Ｘにおける稲の不耕起直播栽培の適否を判断する（Ｓ６２９）。項目別診断結果記入欄に記述されている項目別診断結果が判断基準を充足する場合、すなわち項目別診断結果がＡである場合には、Ｎｏ．２９に関しては技術的可能性の点から依頼圃場Ｘにおける稲の不耕起直播栽培が好適であると判断してＳ６３０に進み、その他の場合にはＳ６２９ｂに進む（Ｓ６２９ａ）。Ｓ６２９ｂに進み、項目別診断結果記入欄に記述されている項目別診断結果が条件付で判断基準を充足する場合、すなわち項目別診断結果がＢである場合には、Ｓ６２９ｄに進む（Ｓ６２９ｂ）。Ｎｏ．２９に関して技術的可能性の点から依頼圃場Ｘにおける稲の不耕起直播栽培が好適になるための条件（５月中旬以降に播種されること）が判断され、Ｓ６３０に進む（Ｓ６２９ｄ）。Ｓ６２９ｂにおいてＮｏであった場合には、Ｓ６５０に進む。
【０１０７】
栽培品種が前作の栽培品種と異なると、圃場の状態が栽培品種の生育に適した状態になっていないため技術的可能性の点から稲の不耕起直播栽培に不適であるが、上記のＮｏ．２９に関する動作により、栽培品種が前作の栽培品種と異なる圃場を請負圃場から排除し、あるいは適切な条件を判断することができる。
【０１０８】
技術的可能性適否判断部１０６は、Ｎｏ．３０（前回栽培時期における依頼圃場の使用状態）に関し、技術的可能性の点から依頼圃場Ｘにおける稲の不耕起直播栽培の適否を判断する（Ｓ６３０）。項目別診断結果記入欄に記述されている項目別診断結果が判断基準を充足する場合、すなわち項目別診断結果がＣ以上である場合には、Ｎｏ．３０に関しては技術的可能性の点から依頼圃場Ｘにおける稲の不耕起直播栽培が好適であると判断してＳ６４０に進み、その他の場合にはＳ６３０ｂに進む（Ｓ６３０ａ）。Ｓ６３０ｂに進み、項目別診断結果記入欄に記述されている項目別診断結果が条件付で判断基準を充足する場合、すなわち項目別診断結果がＤである場合には、Ｓ６３０ｄに進む（Ｓ６３０ｂ）。Ｎｏ．３０に関して技術的可能性の点から依頼圃場Ｘにおける稲の不耕起直播栽培が好適になるための条件（前年秋に除草剤処理が実施され、かつ５月中旬以降に播種されること）が判断され、Ｓ６４０に進む（Ｓ６３０ｄ）。Ｓ６３０ｂにおいてＮｏであった場合には、Ｓ６５０に進む。
【０１０９】
前回栽培時期において減反休耕又は減反転作の状態にあると、雑草の生育が多く圃場の状態が稲の生育に適した状態になっていないため技術的可能性の点から稲の不耕起直播栽培に不適であるが、上記のＮｏ．３０に関する動作により、前回栽培時期において減反休耕又は減反転作の状態にあった圃場を請負圃場から排除し、あるいは適切な条件を判断することができる。
【０１１０】
Ｓ６４０に進むと、技術的可能性適否判断部１０６が技術的可能性の点から依頼圃場Ｘにおける稲の不耕起直播栽培が好適であると判断する。
【０１１１】
Ｓ６５０に進むと、技術的可能性適否判断部１０６が技術的可能性の点から依頼圃場Ｘにおける稲の不耕起直播栽培が不適であると判断する。
【０１１２】
上記の技術的可能性適否判断部１０６による判断結果は、提示部１１０により提示される。
【０１１３】
図７は、不耕起直播栽培適否判断システム１が、圃場プロファイル表２２に基づいて、収益性の点から依頼圃場Ｘにおける稲の不耕起直播栽培の適否を判断する動作の手順を示すフローチャートである。なお、図７では、Ｓ７０５ないしＳ７０８、Ｓ７１６、Ｓ７１７、Ｓ７２２、Ｓ７２３及びＳ７２６ないしＳ７２８の記載が省略されている。
【０１１４】
依頼圃場Ｘについての項目別診断結果が入力されると、入力部１０４が、当該項目別診断結果を圃場プロファイル表２２の項目別診断結果記入欄に記入する（Ｓ７０２）。
【０１１５】
収益性適否判断部１０８は、Ｎｏ．４（依頼圃場と隣接圃場との高低差）に関し、収益性の点から依頼圃場Ｘにおける稲の不耕起直播栽培の適否を判断する（Ｓ７０４）。項目別診断結果記入欄に記述されている項目別診断結果が判断基準を充足する場合、すなわち項目別診断結果がＣ以上である場合には、Ｎｏ．４に関しては収益性の点から依頼圃場Ｘにおける稲の不耕起直播栽培が好適であると判断してＳ７０５に進み、その他の場合にはＳ７０４ｂに進む（Ｓ７０４ａ）。Ｓ７０４ｂに進み、項目別診断結果記入欄に記述されている項目別診断結果が条件付で判断基準を充足する場合、すなわち項目別診断結果がＤである場合には、Ｓ７０４ｃに進む（Ｓ７０４ｂ）。Ｓ７０４ｃに進み、関連判断基準を充足する場合、すなわちＮｏ．４の項目別診断結果がＤである場合においてＮｏ．２の項目別診断結果がＤ以上であり、かつＮｏ．３の項目別診断結果がＤ以上である場合には、Ｎｏ．４に関しては収益性の点から依頼圃場Ｘにおける稲の不耕起直播栽培が好適であると判断してＳ７０５に進む（Ｓ７０４ｃ）。Ｓ７０４ｂ又はＳ７０５ｃのいずれかにおいてＮｏであった場合には、Ｓ７５０に進む。
【０１１６】
依頼圃場と隣接圃場との高低差が大きいと、圃場の水持ちが悪くなるので収益性の点から稲の不耕起直播栽培に不適であるが、上記のＮｏ．４に関する動作により、依頼圃場と隣接圃場との高低差が大きく、かつ依頼圃場から半径１ｋｍ内にある他の依頼圃場の面積が小さい（依頼圃場から半径１ｋｍ内にある他の依頼圃場の面積が小さいと、周辺の依頼圃場と一括して管理することにより圃場管理の率性を向上させるメリットがなくなる。）か、依頼圃場がある地区の水田面積が小さい（依頼圃場がある地区の水田面積が小さいと、将来周辺の依頼圃場と一括して管理することにより圃場管理の効率性を向上させることが期待できなくなる。）圃場を請負圃場から排除することができる。
【０１１７】
収益性適否判断部１０８は、Ｎｏ．５（依頼圃場の面積）に関し、収益性の点から依頼圃場Ｘにおける稲の不耕起直播栽培の適否を判断する（Ｓ７０５）。項目別診断結果記入欄に記述されている項目別診断結果が判断基準を充足する場合、すなわち項目別診断結果がＥ以上である場合には、Ｎｏ．５に関しては収益性の点から依頼圃場Ｘにおける稲の不耕起直播栽培が好適であると判断してＳ７０６に進み、その他の場合にはＳ７０５ｂに進む（Ｓ７０５ａ）。Ｓ７０５ｂに進み、項目別診断結果記入欄に記述されている項目別診断結果が条件付で判断基準を充足する場合、すなわち項目別診断結果がＥである場合には、Ｓ７０５ｃに進む（Ｓ７０５ｂ）。Ｓ７０５ｃに進み、関連判断基準を充足する場合、すなわちＮｏ．５の項目別診断結果がＥである場合においてＮｏ．２の項目別診断結果がＤ以上であり、かつＮｏ．３の項目別診断結果がＤ以上である場合には、Ｎｏ．５に関しては収益性の点から依頼圃場Ｘにおける稲の不耕起直播栽培が好適であると判断してＳ７０６に進む（Ｓ７０５ｃ）。Ｓ７０５ｂ又はＳ７０５ｃのいずれかにおいてＮｏであった場合には、Ｓ７５０に進む。
【０１１８】
依頼圃場の面積が小さいと、圃場での作業効率が悪くなるので収益性の点から稲の不耕起直播栽培に不適であるが、上記のＮｏ．５に関する動作により、依頼圃場と隣接圃場との高低差が大きく、かつ依頼圃場から半径１ｋｍ内にある他の依頼圃場の面積が小さいか、依頼圃場がある地区の水田面積が小さい圃場を請負圃場から排除することができる。
【０１１９】
収益性適否判断部１０８は、Ｎｏ．６（依頼圃場の形状）に関し、収益性の点から依頼圃場Ｘにおける稲の不耕起直播栽培の適否を判断する（Ｓ７０６）。項目別診断結果記入欄に記述されている項目別診断結果が判断基準を充足する場合、すなわち項目別診断結果がＡである場合には、Ｎｏ．６に関しては収益性の点から依頼圃場Ｘにおける稲の不耕起直播栽培が好適であると判断してＳ７０７に進み、その他の場合にはＳ７０６ｂに進む（Ｓ７０６ａ）。Ｓ７０６ｂに進み、項目別診断結果記入欄に記述されている項目別診断結果が条件付で判断基準を充足する場合、すなわち項目別診断結果がＢ又はＣである場合には、Ｓ７０６ｃに進む（Ｓ７０６ｂ）。Ｓ７０６ｃに進み、関連判断基準を充足する場合、すなわちＮｏ．６の項目別診断結果がＢである場合においてＮｏ．２の項目別診断結果がＤ以上であり、Ｎｏ．３の項目別診断結果がＤ以上であり、かつＮｏ．５の項目別診断結果がＤ以上である場合、あるいはＮｏ．６の項目別診断結果がＣである場合においてＮｏ．２の項目別診断結果がＣ以上であり、Ｎｏ．３の項目別診断結果がＣ以上であり、かつＮｏ．５の項目別診断結果がＤ以上である場合には、Ｎｏ．６に関しては収益性の点から依頼圃場Ｘにおける稲の不耕起直播栽培が好適であると判断してＳ７０７に進む（Ｓ７０６ｃ）。Ｓ７０６ｂ又はＳ７０５ｃのいずれかにおいてＮｏであった場合には、Ｓ７５０に進む。
【０１２０】
依頼圃場の形状が整っていないと、機械による農作業が困難になるので収益性の点から稲の不耕起直播栽培に不適であるが、上記のＮｏ．６に関する動作により、依頼圃場の形状が悪く、かつ依頼圃場から半径１ｋｍ内にある他の依頼圃場の面積が小さいか、依頼圃場がある地区の水田面積が小さい、あるいは依頼圃場の面積が小さい圃場を請負圃場から排除することができる。
【０１２１】
収益性適否判断部１０８は、Ｎｏ．７（依頼圃場が面する農道の幅員）に関し、収益性の点から依頼圃場Ｘにおける稲の不耕起直播栽培の適否を判断する（Ｓ７０７）。項目別診断結果記入欄に記述されている項目別診断結果が判断基準を充足する場合、すなわち項目別診断結果がＣ以上である場合には、Ｎｏ．７に関しては収益性の点から依頼圃場Ｘにおける稲の不耕起直播栽培が好適であると判断してＳ７０８に進み、その他の場合にはＳ７０７ｂに進む（Ｓ７０７ａ）。Ｓ７０７ｂに進み、項目別診断結果記入欄に記述されている項目別診断結果が条件付で判断基準を充足する場合、すなわち項目別診断結果がＤである場合には、Ｓ７０７ｃに進む（Ｓ７０７ｂ）。Ｓ７０７ｃに進み、関連判断基準を充足する場合、すなわちＮｏ．７の項目別診断結果がＤである場合においてＮｏ．２の項目別診断結果がＤ以上、Ｎｏ．３の項目別診断結果がＤ以上、Ｎｏ．５の項目別診断結果がＤ以上、Ｎｏ．６の項目別診断結果がＢ以上である場合には、Ｎｏ．７に関しては収益性の点から依頼圃場Ｘにおける稲の不耕起直播栽培が好適であると判断してＳ７０８に進む（Ｓ７０７ｃ）。Ｓ７０７ｂ又はＳ７０５ｃのいずれかにおいてＮｏであった場合には、Ｓ７５０に進む。
【０１２２】
依頼圃場が面する農道の幅員が狭いと、農機の交通が不便になるので収益性の点から稲の不耕起直播栽培に不適であるが、上記のＮｏ．７に関する動作により、依頼圃場が面する農道の幅員が狭く、かつ依頼圃場から半径１ｋｍ内にある他の依頼圃場の面積が小さい、依頼圃場がある地区の水田面積が小さい、依頼圃場の面積が小さい、あるいは依頼圃場の形状が悪い圃場を請負圃場から排除することができる。
【０１２３】
収益性適否判断部１０８は、Ｎｏ．８（依頼圃場の過去の平均収量（１０ａあたり））に関し、収益性の点から依頼圃場Ｘにおける稲の不耕起直播栽培の適否を判断する（Ｓ７０８）。項目別診断結果記入欄に記述されている項目別診断結果が判断基準を充足する場合、すなわち項目別診断結果がＣ以上である場合には、Ｎｏ．８に関しては収益性の点から依頼圃場Ｘにおける稲の不耕起直播栽培が好適であると判断してＳ７１６に進み、その他の場合にはＳ７０８ｂに進む（Ｓ７０８ａ）。Ｓ７０８ｂに進み、項目別診断結果記入欄に記述されている項目別診断結果が条件付で判断基準を充足する場合、すなわち項目別診断結果がＤである場合には、Ｓ７０８ｃに進む（Ｓ７０８ｂ）。Ｓ７０８ｃに進み、関連判断基準を充足する場合、すなわちＮｏ．８の項目別診断結果がＤである場合においてＮｏ．２の項目別診断結果がＤ以上、Ｎｏ．３の項目別診断結果がＤ以上、Ｎｏ．５の項目別診断結果がＤ以上、Ｎｏ．６の項目別診断結果がＢ以上である場合には、Ｎｏ．８に関しては収益性の点から依頼圃場Ｘにおける稲の不耕起直播栽培が好適であると判断してＳ７１６に進む（Ｓ７０８ｃ）。Ｓ７０８ｂ又はＳ７０５ｃのいずれかにおいてＮｏであった場合には、Ｓ７５０に進む。
【０１２４】
依頼圃場の平均収量が少ない圃場は収益性の点から稲の不耕起直播栽培に不適であるが、上記のＮｏ．８に関する動作により、依頼圃場の平均収量が少なく、かつ依頼圃場から半径１ｋｍ内にある他の依頼圃場の面積が小さい、依頼圃場がある地区の水田面積が小さい、依頼圃場の面積が小さい、あるいは依頼圃場の形状が悪い圃場を請負圃場から排除することができる。
【０１２５】
Ｓ７１６（Ｎｏ．１６についての判断）、Ｓ７１７（Ｎｏ．１７についての判断）、Ｓ７２２（Ｎｏ．２２についての判断）、Ｓ７２３（Ｎｏ．２３についての判断）及びＳ７２６（Ｎｏ．２６についての判断）ないしＳ７２８（Ｎｏ．２８についての判断）の動作は、前述のＳ５１６、Ｓ５１７、Ｓ６２２、Ｓ６２３及びＳ６２６ないしＳ６２８の動作と同様である。
【０１２６】
Ｓ７４０に進むと、収益性適否判断部１０８が、収益性に関する診断項目の項目別診断結果を数値化した上で合算することにより、依頼圃場Ｘにおける稲の不耕起直播栽培の収益性を示す指標の値を判断する。例えば、各診断項目においてＡないしＥの診断基準に収益性を示す指標値が割り当てられ、収益性適否判断部１０８が、各診断結果の指標値を合算することにより、総合的な収益性を示す指標の値を算出することが考えられる。
【０１２７】
Ｓ７５０に進むと、収益性適否判断部１０８が、収益性の点から依頼圃場Ｘにおける稲の不耕起直播栽培が不適であると判断する。
【０１２８】
上記の収益性適否判断部１０８による判断結果（依頼圃場Ｘにおける不耕起直播栽培が不適であるとの判断、依頼圃場Ｘにおける不耕起直播栽培が不適ではないときの収益性の判断、依頼圃場Ｘにおける不耕起直播栽培が好適となるための条件の判断）は、提示部１１０により提示される。
【０１２９】
次に、不耕起直播栽培適否判断システム１の効果を説明する。本実施形態の技術的可能性適否判断部１０６が、技術的可能性の点から依頼圃場Ｘにおける稲の不耕起直播栽培の適否を判断し、その判断結果が提示部１１０により提示されるので、稲の不耕起直播栽培の請負業者は、依頼圃場Ｘに関する知識を有する者の勘と経験を要さずとも依頼圃場Ｘにおける稲の不耕起直播栽培の適否（依頼圃場Ｘにおける稲の不耕起直播栽培を請け負うことの適否）を容易に判断することができる。また、収益性適否判断部１０８が、依頼圃場Ｘにおける稲の不耕起直播栽培の収益性を示す指標の値を判断し、その判断結果が提示部１１０により提示されるので、稲の不耕起直播栽培の請負業者は、依頼圃場Ｘにおいて稲の不耕起直播栽培を請け負ったときの収益性を容易に判断することができる。
【０１３０】
播種時期の降雨後の田面滞水期間が長いと圃場における水量の制御が困難であるため稲の不耕起直播栽培に不適であるが、圃場プロファイル表が、播種時期における２０ｍｍ／ｄａｙの降雨後の田面滞水期間について診断する項目を含むことにより、更に適切に稲の不耕起直播栽培の適否が判断される。
【０１３１】
田面と排水路との高低差が小さいと圃場における水量の制御が困難であるため稲の不耕起直播栽培に不適であるが、圃場プロファイル表が、依頼圃場の田面と排水路との高低差について診断する項目を含むことにより、更に適切に稲の不耕起直播栽培の適否が判断される。
【０１３２】
降雨時の排水路からの逆流可能性が高いと圃場における水量の制御が困難であるため稲の不耕起直播栽培に不適であるが、圃場プロファイル表が、２０ｍｍ／ｄａｙの降雨時の排水路からの逆流可能性について診断する項目を含むことにより、更に適切に稲の不耕起直播栽培の適否が判断される。
【０１３３】
田植え後に潅水した場合の潅水期間が短いと圃場に十分な水量を確保するのが困難であるため稲の不耕起直播栽培に不適であるが、圃場プロファイル表が、田植え１０日後に５ｃｍ潅水した場合の潅水期間について診断する項目を含むことにより、更に適切に稲の不耕起直播栽培の適否が判断される。
【０１３４】
前作の収穫後に凹凸があり、そのまま放置されると、圃場の全面を潅水させることが困難になるため稲の不耕起直播栽培に不適であるが、圃場プロファイル表が、前作の収穫後における依頼圃場の凹凸状況について診断する項目を含むことにより、更に適切に稲の不耕起直播栽培の適否が判断される。
【０１３５】
不耕起直播栽培適否判断システム１を用いた上記の手順による栽培適否判断は、本発明の不耕起直播栽培適否判断方法の実施形態でもある。当該実施形態に係る不耕起直播栽培適否判断方法によれば、上記の不耕起直播栽培適否判断システム１における栽培適否判断と同一の作用及び効果を得られる。
【０１３６】
次に、本発明の実施形態に係る不耕起直播栽培適否判断プログラム２及び不耕起直播栽培適否判断プログラム２を記録した記録媒体３について説明する。図１１は、本発明の実施形態に係る不耕起直播栽培適否判断プログラム２を記録した記録媒体３の構成図である。
【０１３７】
記録媒体３のプログラム領域は、不耕起直播栽培適否判断プログラム２が記録されており、その構成要素として、入力モジュール２０４、技術的可能性適否判断モジュール２０６、収益性適否判断モジュール２０８及び提示モジュール２１０を備える。入力モジュール２０４、技術的可能性適否判断モジュール２０６、収益性適否判断モジュール２０８及び提示モジュール２１０は、それぞれ、後述のコンピュータを用いて実行することにより、上述の不耕起直播栽培適否判断システム１の入力部１０４、技術的可能性適否判断部１０６、収益性適否判断部１０８及び提示部１１０と同一の機能を有する。また、記録媒体３のデータ領域には、依頼圃場ごとに作成される圃場プロファイル表が記録されている。なお、データ領域の情報は別の記録媒体に記録されていてもよい。
【０１３８】
図１２は、不耕起直播栽培適否判断プログラム２が実行されるコンピュータ４の物理的構成を示す図である。コンピュータ４は、物理的構成要素として、中央処理装置（ＣＰＵ）４２、オペレーティングシステムを常駐させた作業用メモリ４４、読み取り装置４６、ディスプレイ４７及び入力装置４８を備える。
【０１３９】
記録媒体３が読み取り装置４６に挿入されると、記録媒体３に記録された情報が読み取り装置４６からアクセス可能となり、記録媒体３のプログラム領域に記録された不耕起直播栽培適否判断プログラム２が、コンピュータ４によって実行可能となり、コンピュータ４は、不耕起直播栽培適否判断システム１と同一の動作をし、同一の作用及び効果を有する。
【０１４０】
【発明の効果】
以上説明したように、本発明の不耕起直播栽培適否判断システム、不耕起直播栽培適否判断方法、不耕起直播栽培適否判断プログラム及び不耕起直播栽培適否判断プログラムを記録した記録媒体によれば、特定の圃場に関する知識を有する者の勘と経験を要さずとも稲の不耕起直播栽培の適否を容易に判断することが可能になる。
【図面の簡単な説明】
【図１】不耕起直播栽培適否判断システム１の機能的構成を示す図である。
【図２】圃場プロファイル表２２の内容を示す第１の図である。
【図３】圃場プロファイル表２２の内容を示す第２の図である。
【図４】圃場プロファイル表２２の内容を示す第３の図である。
【図５】不耕起直播栽培適否判断システム１の動作の手順を示す第１のフローチャートである。
【図６】不耕起直播栽培適否判断システム１の動作の手順を示す第２のフローチャートである。
【図７】不耕起直播栽培適否判断システム１の動作の手順を示す第３のフローチャートである。
【図８】不耕起直播栽培適否判断プログラム２を記録した記録媒体３の構成図である。
【図９】不耕起直播栽培適否判断プログラム２が実行されるコンピュータ４の物理的構成を示す図である。
【符号の説明】
１…不耕起直播栽培適否判断システム、１０２…格納部、１０４…入力部、１０６…技術的可能性適否判断部、１０８…収益性適否判断部、１１０…提示部、２２…圃場プロファイル表、２…不耕起直播栽培適否判断プログラム、２０４…入力モジュール、２０６…技術的可能性適否判断モジュール、２０８…収益性適否判断モジュール、２１０…提示モジュール、３…記録媒体、４…コンピュータ、４２…ＣＰＵ、４４…作業用メモリ、４６…読み取り装置、４７…ディスプレイ、４８…入力装置。
【図１】
2004024176.tif 000003
【図２】
2004024176.tif 000004
【図３】
2004024176.tif 000005
【図４】
2004024176.tif 000006
【図５】
2004024176.tif 000007
【図６】
2004024176.tif 000008
【図７】
2004024176.tif 000009
【図８】
2004024176.tif 000010
【図９】
2004024176.tif 000011